(57)【特許請求の範囲】
【請求項１】
掘削翼を下端に取付けた主軸と、該主軸の下部に該主軸に対して自由状態で取付けられ該掘削翼よりもやゝ大径な横軸と、該横軸の両端部に取付けられている上下攪拌翼と、該横軸に支持され該上下攪拌翼を駆動回動せしめるエアまたは油圧モーターと、上方から該エアまたは油圧モーターに高圧空気または作動油を送通する高圧ホースと、上方から該横軸両端部を支持している回転阻止手段とからなることを特徴とする土壌改良装置
【請求項２】
該回転阻止手段は該高圧ホースが内部に挿通されているパイプである請求項１に記載の土壌改良装置
【請求項３】
該主軸の掘削翼の上側には水平攪拌翼が差出されている請求項１または２に記載の土壌改良装置
【発明の詳細な説明】
【０００１】
【発明の属する技術分野】
本発明は湿式地盤改良杭等に使用される土壌改良装置に関するものである。
【０００２】
【従来の技術】
従来は、例えば図４に示すように、掘削翼(23)を下端に取付けた主軸(22)の下部に、該主軸(22)に対して自由状態で横軸(25)を取付け、該横軸(25)の両端に突片(26,26) を取付け、該横軸(25)の周りから突出片(27)の複数本を放射状に差出し、更に該突出片(27)の外側から攪拌用杆体(28,28) を差出し、該主軸(22)の該横軸(25)上側には該突出片(27)に当接する杆体(29,29) を差出し、更にその上側に水平攪拌翼(30)を左右に差出した地盤改良装置(21)が提供されている（特許第３０１６３４１号公報）。
上記地盤改良装置(21)においては、立坑周壁に横軸(25)を突張らせることによって主軸(22)の回転によって共回りすることを阻止し、該主軸(22)を回転させることによって掘削翼(23)によって立坑を掘削して行く。この場合該主軸(22)の杆体(29,29) が該横軸(25)から放射状に差出した複数本の突出片(27)に逐次当接し、該横軸(25)は該突出片(27)を介して該主軸(22)の杆体(29,29) によって回転せしめられる。同時に該主軸(22)下端の吐出孔(22A) からは土壌硬化剤を含有するスラリーを吐出せしめる。
掘削土は該掘削翼(23)と該横軸(25)の攪拌用杆体(28,28) と、水平攪拌翼(30)とによって、横方向および上下方向に攪拌され、スラリーと混合される。
【０００３】
【発明が解決しようとする課題】
上記従来の土壌改良装置(21)にあっては、主軸(22)を回転させなければ、横軸(25)が回転せず、横軸(25)のみを回転させて攪拌用杆体(28,28) で掘削土を上下方向のみで攪拌することは不可能であること、横軸(25)から放射状に差出した複数本の突出片(27)に、主軸(22)の杆体(29,29) を逐次当接させることによって該横軸(25)を回転させるので、該突出片(27)と該杆体(29,29) とが衝撃によって損傷し易く、かつ横軸(25)の回転にはむらが出ること、更にそれによって横軸(25)には主軸(22)から回転力が及ぼされ、立坑周壁が軟弱な場合には横軸(25)が主軸(22)と共に水平回転し易くなること等の問題点がある。
【０００４】
【課題を解決するための手段】
本発明は上記従来の課題を解決するための手段として、掘削翼(3) を下端に取付けた主軸(2) と、該主軸(2) の下部に該主軸(2) に対して自由状態で取付けられ該掘削翼(3) よりもやゝ大径な横軸(5) と、該横軸(5) の両端部に取付けられている上下攪拌翼(8) と、該横軸(5) に支持され該上下攪拌翼(8) を駆動回動せしめるエアまたは油圧モーター(6,6) と、上方から該エアまたは油圧モーター(6,6) に高圧空気または作動油を送通する高圧ホース(9,9) と、上方から該横軸(5) 両端部を支持している回転阻止手段(10,10) とからなる土壌改良装置(1) を提供するものである。
該回転阻止手段は該高圧ホース(9,9) が内部に挿通されているパイプ(10,10) であることが好ましく、また該主軸(2) の掘削翼(3) の上側には水平攪拌翼(4) が差出されていることが望ましい。
【０００５】
【作用】
横軸(5) を立坑(13)周壁に突張り状態とし、主軸(2) を回転させ、掘削翼(3) によって立坑(13)の掘削を進める。該横軸(5) は上記突張り力と上方からの回転阻止手段(10)とによって主軸(2) と共に水平回転することを阻止される。
高圧ホース(9,9) から高圧空気または作動油を送って、エアまたは油圧モーター(6,6) によって上下攪拌翼(8,8) を回転させる。
掘削土は上記掘削翼(3) によって水平攪拌され、かつ上記上下攪拌翼(8,8) によって上下攪拌されるが、この水平攪拌と上下攪拌とは各々独立した駆動源によって行われる。
【０００６】
【発明の実施の形態】
本発明を図１〜図３に示す一実施例によって説明すれば、図に示す土壌改良装置(1) の主軸(2) は、地上の図示しない駆動源によって駆動回転せしめられ、下端には左右に刃付掘削翼(3) 、更にその上側に水平攪拌翼(4) が差出されている。
該主軸(2) の水平攪拌翼(4) の上側において、該主軸(2) の両側には該主軸(2) に対して自由状態で左右一対の油圧モーター(6,6) が取付けられており、該油圧モーター(6,6) の横軸(5,5) に取付けられている支持板(7,7) からは上下攪拌翼(8) の複数本が放射状に差出されている。
上記油圧モーター(6,6) には上方から高圧ホース(9,9) が接続されており、該高圧ホース(9,9) を外側から被覆するパイプ(10,10) は該油圧モーター(6,6) に固定的に接続している。そして上方において該主軸(2) と該パイプ(10,10) との間には振れ止め具(11)が差出され、また主軸(2) 下端からはノズル(12)が差出されている。
なお該主軸(2) とパイプ(10,10) および高圧ホース(9,9) とは油圧モーター(6,6) の上側からジョイント(9A,10A,2A) を介して上下に分離可能にされている。このようなジョイントは油圧モーター(6,6) の下側に設けられていてもよい。
【０００７】
上記構成において、立坑(13)内において土壌改良装置(1) の横軸(5) を周壁に突張り状態とし、図示しない地上の駆動源によって主軸(2) を回転せしめ、立坑(13)の掘削を進める。上記したように該横軸(5) は周壁に突張り状態とされているから、該横軸(5) が主軸(2) と共に水平回転することを阻止されているが、該周壁が軟弱地盤であって横軸(5) の突張り強さが充分でない場合でも、該横軸(5) は上方からのパイプ(10)によって水平回転を阻止されている。
高圧ホース(9,9) から作動油を送って、油圧モーター(6,6) を回転させると、上下攪拌翼(8) は横軸(5) 、支持板(7) を介して回転する。
【０００８】
上記掘削によって発生した掘削土は、掘削翼(3) と水平攪拌翼(4) とによって水平攪拌され、更に上下攪拌翼(8) によって上下攪拌され、ノズル(12)から吐出される土壌硬化剤含有スラリーと均一に攪拌される。上記水平攪拌と上下攪拌とは独立しているから、所望なれば水平攪拌のみ、あるいは上下攪拌のみを行なうことが出来、また上下攪拌は油圧モーター(6,6) によって行われるから、回転はむらなく円滑である。また左右の上下攪拌翼(8) も別々の油圧モーター(6) によって回転せしめられるから、左または右の上下攪拌翼(8) のみを回転させることも出来る。
【０００９】
上記実施例では油圧モーターを用いたが、油圧モーターに代えてエアモーターを用いてもよい。但し油圧モーターの方が大きい出力が得られる。また横軸水平回転阻止手段は、高圧ホース(9,9) とは別個に設けられてもよい。
【００１０】
【発明の効果】
本発明では円滑な上下攪拌が得られ、かつ軟弱な地盤の場合でも横軸が主軸と共に水平回転することを確実に阻止出来、掘削土と土壌硬化剤含有スラリーとを均一に効率良く混合することが出来る。
【図面の簡単な説明】
図１〜図３は本発明の一実施例を示すものである。
【図１】分解状態側面図
【図２】下部斜視図
【図３】掘削状態下部側面図
【図４】従来例の下部斜視図
【符号の説明】
1       土壌改良装置
2       主軸
3       掘削翼
4       水平攪拌翼
5       横軸
6       エアまたは油圧モーター
8       上下攪拌翼
9       高圧ホース
10      パイプ（回転阻止手段）
【図１】
0003672502.tif 000002
【図２】
0003672502.tif 000003
【図３】
0003672502.tif 000004
【図４】
0003672502.tif 000005